(57)【要約】【課題】本発明は、コンパクトでかつ、汎用性が高い殺菌水を生成して洗浄水として利用できる便器自動洗浄装置およびバルブ部を提供することを目的とする。さらに、大掛かりな施工を必要とせずに簡単に既設の便器自動洗浄装置に殺菌水生成機能を組み込むことができる便器自動洗浄装置およびバルブ部を提供することを目的とする。【解決手段】殺菌水を生成する電極を通水路に設けた便器自動洗浄装置において、該電極は、該便器自動洗浄装置のバルブ本体内に別体で収納するバルブ部の通水路に配置したことを特徴とする便器自動洗浄装置とした。また、便器自動洗浄装置のフラッシュバルブ内に別体で収納され、下流側への通水・止水をするためのバルブ部の通水路に殺菌水を生成するための電極を配置したことを特徴とするバルブ部とした。【選択図】図１
2004204548.tif 000002
【特許請求の範囲】
【請求項１】
殺菌水を生成する電極を通水路に設けた便器自動洗浄装置において、
該電極は、該便器自動洗浄装置のバルブ本体内に別体で収納するバルブ部の通水路に配置したことを特徴とする便器自動洗浄装置。
【請求項２】
前記バルブ部は、上流から流れてくる通水を通す通水路を外側に配置し、かつ中央に下流へ流れていく通水路を配置し、これらの通水路を隔壁と弁とにて区画するとともに、弁を作動させて、隔壁と弁との間に隙間を形成して各通水路を連通させて通水状態とするかもしくは隔壁と弁とを当接させて隔壁と弁との間をシールして止水状態とし、
この隔壁の上流側に配置した通水路に電極を設けたことを特徴とする請求項１に記載の便器自動洗浄装置。
【請求項３】
前記電極を該バルブ部にインサート成形したことを特徴とする請求項１または２に記載の便器自動洗浄装置。
【請求項４】
前記バルブ部は通水路を形成するための柱部を複数備え、
かつ、この柱部間に対となる電極を形成し、さらに少なくとも２対以上の電極を具備したことを特徴とする請求項１〜３のいずれか１つに記載の便器自動洗浄装置。
【請求項５】
前記電極に銀電極を用いたことを特徴とする請求項１〜４のいずれか１つに記載の便器自動洗浄装置。
【請求項６】
便器自動洗浄装置のフラッシュバルブ内に別体で収納され、下流側への通水・止水をするためのバルブ部の通水路に殺菌水を生成するための電極を配置したことを特徴とするバルブ部。
【発明の詳細な説明】
【０００１】
【発明の属する技術分野】
本発明は、便器自動洗浄装置および殺菌水を生成する電極を備えたバルブ部に関する。詳しくは、殺菌水を生成して洗浄水として利用できる便器自動洗浄装置および殺菌水を生成する電極を備えたバルブ部に関する。
【０００２】
【従来の技術】
便器使用後に単に水を流すのみでは、徐々に便器に水あかやぬめりが付着したり臭気が発生することを防止できない。
また、小便器においては尿石が配管内に付着して汚水の通水路を狭くしたり、便器の表面に付着して外観を損ね、細菌繁殖の温床となって臭気を放つようになる。
このようにいったん付着してしまった尿石は通常の清掃では除去することは難しく、ブラシで強く擦らないと取れない。このため、尿石除去は専門の業者に依頼する必要があり、大きな負担となる。
【０００３】
この問題に対して、水洗便器洗浄水に殺菌力を有する成分を生成し供給させることによって対処する方法もいくつか開示されている。
【０００４】
従来から銀イオンには殺菌作用があることが知られており、水洗便器の殺菌のため、水洗便器に対する便器洗浄水給水路と、この便器洗浄水給水路内に銀イオンを混入させる銀極板を有するイオン発生器と、前記便器洗浄水給水路に設けた開閉弁の開閉動作に連動して開閉し銀極板に給電する電源装置とを備えた便器洗浄水の殺菌浄化装置が知られている（例えば、特許文献１参照）。
【０００５】
【特許文献１】
実開平７−１７３９１号公報
【０００６】
しかしながら、既設の手動式フラッシュバルブからイオン発生器付き自動フラッシュバルブへの取替えを行う場合は、手動式フラッシュバルブと便器との間の洗浄管にイオン発生器を取り付ける必要があり、そのためには施工現場で既設配管のカット作業が発生し、簡単に取り替えができない。
【０００７】
洗浄管に手動式フラッシュバルブを取り付けた場合は、フラッシュバルブの機能部とイオン発生器とが分離されて洗浄管に配置することになる。そのため、機能部からイオン発生器へ電源を供給するコードが露出し、いたずらされてコードを切断されないようにコードをカバーやパイプなどで覆う作業が発生し、美観も損なうことになる。
【０００８】
この問題を解消するため、フラッシュバルブの機能部とイオン発生器とを全てカバーで覆うと全体が非常に大きくなり、使用者に圧迫感を与えることになる。
【０００９】
【発明が解決しようとする課題】
本発明は、上記不具合を解決するためになされたもので、コンパクトでかつ、汎用性が高い殺菌水を生成して洗浄水として利用できる便器自動洗浄装置およびバルブ部を提供することを目的とする。さらに、大掛かりな施工を必要とせずに簡単に既設の便器自動洗浄装置に殺菌水生成機能を組み込むことができる便器自動洗浄装置およびバルブ部を提供することを目的とする。
【００１０】
【課題を解決するための手段】
上記課題を解決する為に、本発明の請求項１は、殺菌水を生成する電極を通水路に設けた便器自動洗浄装置において、該電極は、該便器自動洗浄装置のバルブ本体内に別体で収納するバルブ部の通水路に配置したことを特徴とする便器自動洗浄装置とした。
【００１１】
従来、バルブ本体とは別体に形成された殺菌水生成装置を配管経路内に介在させていた。そのため、特に既設の便器自動洗浄装置に後付けする場合においては、殺菌水生成装置を介在させることができるように配管のカッティングなどが必要となり、大掛かりな施工が必要であった。また、殺菌水生成装置や配線を覆うカバーが必要となり、露出タイプの便器自動洗浄装置の場合、外観性が大幅に低下するといった問題があった。
一方、本発明を採用することで、電極を配置する部材をバルブ部が兼ねるため、従来のように電極を配置する殺菌装置専用の部材が不要となる。さらに、バルブ部に内蔵させたため、従来のように給水・配水管部に設けた場合と比較して、格段にコンパクト化が図れる。さらに、便器自動洗浄装置の電源部に電極を近接することができ、電極へ通電するための配線を引き回す必要が無くなり施工やメンテが容易に行える。
また、従来においては、オフィスビルなどに設置されている便器自動洗浄装置に殺菌水生成装置を取り付けるときに同時にバルブ本体も取り替える場合は、給水の元栓を止める必要があった。そのため、施工時には他の便器が利用できず、施工は利用の少ない休日にしか行えないなどの問題があった。
一方、本発明では既設のバルブ本体を用いて、バルブ本体内部に配置しているバルブ部を交換することで殺菌水を生成する便器自動洗浄装置に交換することができる。そのため、施工時にはバルブ本体に付設している止水栓を止めて各便器自動洗浄装置毎に個別に止水して施工を行うことができ、給水の元栓を締めずに対応することができる。したがって、オフィスビルや公衆便所のように複数の便器自動洗浄装置が設置しているような現場において、既設の便器自動洗浄装置を本発明の便器自動洗浄装置に替える場合には、取り替え作業中の便器自動洗浄装置のみ使用不可となるだけで、作業中全ての便器自動洗浄装置が使えなくなるようなことはない。
【００１２】
請求項２では、前記バルブは、上流から流れてくる通水を通す通水路を外側に配置し、かつ中央に下流へ流れていく通水路を配置し、これらの通水路を隔壁と弁とにて区画するとともに、弁を作動させて、隔壁と弁との間に隙間を形成して各通水路を連通させて通水状態とするかもしくは隔壁と弁とを当接させて隔壁と弁との間をシールして止水状態とし、この隔壁の上流側に配置した通水路に電極を設けたことを特徴とする請求項１に記載の便器自動洗浄装置とした。
【００１３】
この様に、従来のバルブ形状をそのまま利用し、電極を配置するため、他の周辺部品を大幅に設計変更したり交換したりする必要がない。そのため、既設の手動フラッシュバルブやイオン発生器を備えていない既設の便器自動洗浄装置から本発明の便器自動洗浄装置にしたい場合、フラッシュバルブ本体は取付けた状態のままバルブ部を交換すればよく、配管のカッティングなどの大掛かりな施工が不要となり、容易にかつ安価に本発明の便器自動洗浄装置に取り替えることができる。
なお、通水路に電極を設けるとは、通水路中に露出していればよく、たとえば、通水路中に電極が突出させた場合、通水路の周壁面に電極を埋設し電極の表面が露出する場合などが挙げられる。
【００１４】
請求項３では、前記電極をバルブ部にインサート成形し、電極の一部を外気側に配置し、電極の一部を通水路中に配置したことを特徴とする請求項１または２に記載の便器自動洗浄装置とした。
【００１５】
この様に電極をバルブ部にインサート成形し電極の一部を外気側に配置し、電極の一部を通水路中に配置したことにより、電極への電力供給が容易になりさらに電極とバルブ部とのシール性を成形時に確保することができるので組立時にシール部材が不要となる。そのため、製造コスト、施工コストを大幅に低減することができる。
【００１６】
請求項４は、前記バルブ部は通水路を形成するための柱部を複数備え、かつ、この柱部間に対となる電極を形成し、さらに少なくとも２対以上の電極を具備したことを特徴とする請求項１〜３のいずれか１つに記載の便器自動洗浄装置とした。
【００１７】
この様に電極を２対以上具備することにより、１対時に必要であった極板面積を２対以上で確保すればよいため、１対の極板面積を小さくしてバルブ部に配置させやすい。そのため、殺菌水の生成能力を低下させることなくバルブ部内に電極を容易に組み込むことができる。
【００１８】
請求項５は、前記電極に銀電極を用いたことを特徴とする請求項１〜４のいずれか１つに記載の便器自動洗浄装置とした。
【００１９】
洗浄水に銀イオンを混入させて効率的に殺菌水を生成することが出来る。
【００２０】
請求項６は、便器自動洗浄装置のフラッシュバルブ内に別体で収納され、下流側への通水・止水をするためのバルブ部の通水路に殺菌水を生成するための電極を配置したことを特徴とするバルブ部とした。
【００２１】
この様に、バルブ部に電極を配置することで、既設のバルブ部と置き換える簡単な施工で殺菌水を生成する機能を組み込むことができる。
【００２２】
【発明の実施の形態】
以下、図面に示す実施例に基づいて本発明を説明する。
図１は本発明に係わる便器自動洗浄装置の断面図である。図２は、図１のバルブ部の拡大図である。図３は、該便器自動洗浄装置内の電極を内蔵したバルブ部の正面図である。図４は、図３のＡ−Ａ断面図である。
【００２３】
図１を基に本装置の構造を説明する。
１は殺菌水を生成する電極１ａを内蔵したバルブ部である。後述するように、該電極１ａはバルブ部１にインサート成形されており、該電極１ａの一端部はバルブ部１の通水路中に露出せしめており、他端部はバルブ部１の上方から外部に突設して、さらにフレーム６を上方に貫通し、電源基板１２ａから配線されたコード１２ｂより電源が供給されている。このようにバルブ１に該電極１ａを内蔵させ、コード１２ｂを上方より取り出すことで、電源基板１２ａとコード１２ｂとを近接することができるため、電源供給が容易に行える。
２はフラッシュバルブ本体で、このフラッシュバルブ本体の上方に開口部を設けており、該開口部にバルブ部１を収納して、袋ナット３で固定している。そのため、袋ナット３を外すことにより、バルブ部１を交換することができる。
４はダイヤフラムで該バルブ部１の中に埋設されている。５は該ダイヤフラム４の後部に付設した電磁弁である。７はセンサーコントローラでフレーム６に挿入され、該センサーコントローラ７の前面に取り付けられるセンサーホルダー８の固定ねじ９によって固定されている。１０は電源部でフレーム６と隙間無く取り付けられねじ１１によって固定される。該電源部１０の電源には、本実施例では、乾電池１２を用いている。１３は後カバーで、ねじによってフレーム６に取り付けられている。１５は前カバーで下部をねじによって後カバー１３に固定される。尚、１７は、バルブ部下部に取り付けられた定流量弁である。
【００２４】
その結果、従来の手動式フラッシュバルブを本発明の便器自動洗浄装置に交換するには、袋ナット３を外し、バルブ部を取り外し、前記電磁弁５を備えたバルブ部に交換し、電源基板１０やセンサーコントローラ７、乾電池１２を備えた後カバー１３を設置し、ケーブル１２ｂを電源基板に接続する。
【００２５】
図３、図４を基にバルブ部１に内蔵された電極を説明する。
図３において、バルブ部１にインサート成形された電極１ａは該バルブ部１の４つの通水路１８に設けられている。本実施例では、電極１ａの材質に銀、バルブ部１の材質として、バルブ部１本体の材質にポリアセタールを用いている。このようにバルブ部１の材質に樹脂を用いることによる該電極１ａとの異種金属の接触による腐食を防止することが出来る。
図４は図３のＡ−Ａ断面図であり、該電極１ａは通水路１８と接しており、かつ１対の電極が通水路１８を介して平行になっていることが分かる。本実施例では、４カ所の通水路１８に、該通水路１８を跨いで設けた４対の電極１ａを配備した。
また、図２に示すように、通水路１８は上流側からの通水がバルブ部１内に供給されるための通水路である。
電磁弁５が作動してダイヤフラム４が上方に移動して弁が開状態となると、通水路１８に流れ込んだ通水は、中央に形成した筒状の隔壁１ｂとダイヤフラム４の隙間を介して通水路１８ａに流れ込み、下流側の通水路１８ａに接続され便器へ通じる洗浄管１６に流れていく。
また、電磁弁５が作動してダイヤフラム４が下方に移動して隔壁１ｂに接し、シールされ弁が閉状態となると、通水路１８に流れ込んだ通水は、中央に形成した筒状の隔壁１ｂとダイヤフラム４の隙間をから通水路１８ａに流れ込めなくなり止水される。
【００２６】
さらに、従来のようにバルブ部１外に別体で設けたイオン発生装置の電極は１対のみを採用しておりその接触面積は小便器の場合約１００ｍｍ２を採用していた。
一方、本発明ではバルブ部１の通水路を形成する複数本の柱部１ｄに配置させることにより、電極効率を向上させることができる。本実施例では、４本の柱部１ｄを形成し、４対の電極１ａを配置することできるので、１対の接触面積が３０ｍｍ２としても４対で計１２０ｍｍ２とすることができる。
このように１対のみでは電極の必要面積が大きくなり、バルブ部に内蔵することが困難になるが、電極を分割することにより１対の必要面積が小さくなり、バルブ部への内蔵が可能となる。
【００２７】
本発明の構成とすることで、既存の便器自動洗浄装置のフラッシュバルブ本体２に収納しているバルブ部を本発明の構成の電極１ａを配置したバルブ部１に交換することで、容易に殺菌水を生成する電極を通水路に設けた便器自動洗浄装置にすることができるのである。そのため、既存の便器自動洗浄装置の外観を変えることなく殺菌水生成機能を組み込むことができるのである。
そのため、バルブ部の通水路に殺菌水を生成するための電極を配置したバルブ部１をフラッシュバルブ本体２内に配置した便器自動洗浄装置として提供してもよく、また、上述した便器自動洗浄装置のフラッシュバルブ内に別体で収納され、下流側への通水・止水をするためのバルブ部の通水路に殺菌水を生成するための電極を配置したバルブ部１を提供してもよい。
【００２８】
本実施例では、露出タイプについて説明したが埋め込みタイプについても同様な効果が得られる。
また、本実施例では、ダイヤフラム方式に限定しておらず、他のピストンバルブ方式等においても同様な効果が得られる。
【００２９】
【発明の効果】
本発明は上記構成により、コンパクトでかつ、汎用性が高い殺菌水を生成して洗浄水として利用できる便器自動洗浄装置およびバルブ部を提供することができる。さらに、大掛かりな施工を必要とせずに簡単に既設の便器自動洗浄装置に殺菌水生成機能を組み込むことができる便器自動洗浄装置およびバルブ部を提供することができる。
【図面の簡単な説明】
【図１】本発明に係わる便器自動洗浄装置の断面図である。
【図２】図１のバルブ部の拡大図である。
【図３】本発明の便器自動洗浄装置内の電極を内蔵したバルブ部の正面図である。
【図４】図３のＡ−Ａ断面図である
【符号の説明】
１  バルブ部
１ａ  電極
１ｂ  隔壁
１ｄ  柱部
２  フラッシュバルブ本体
３  袋ナット
４  ダイヤフラム
５  電磁弁
６  フレーム
７  センサーコントローラ
８  センサーホルダー
９  固定ねじ
１０  電源部
１１  ねじ
１２  乾電池
１３  後カバー
１４  止水栓
１５  前カバー
１６  洗浄管
１７  定流量弁
１８  通水路
１９  フィルター
【図１】
2004204548.tif 000003
【図２】
2004204548.tif 000004
【図３】
2004204548.tif 000005
【図４】
2004204548.tif 000006